(57)【要約】【課題】  被介護者を残して家族が出かけた場合であっても、介護等の特定の訪問者に関しては家族の確認を得て住戸内に入ることを可能とする。【解決手段】  居室親機２はサーバ３と通信する機能を有し、サーバ３は居住者が携行する第１の携帯電話Ｍ１の電話番号に訪問者が携行する第２の携帯電話Ｍ２の電話番号を関連付けた携帯番号テーブル記憶部３１を有し、玄関子機１及び第２の携帯電話Ｍ２の双方が近距離無線通信機能を備えている。第２の携帯電話Ｍ２が玄関子機１に翳されると、電話番号が玄関子機１に読み取られてサーバ３に通知され、サーバ３は携帯番号テーブル記憶部３１を参照して第２の携帯電話Ｍ２に関連付けられている第１の携帯電話Ｍ１の呼び出しを実施し、サーバ３を経由する第１の携帯電話Ｍ１と玄関子機１との間の通話路を形成する。その後第１の携帯電話Ｍ１が解錠操作されると、玄関ドアＤ１の電気錠４が解錠される。【選択図】  図１
2019121960.tif 000002
【特許請求の範囲】
【請求項１】
訪問者が居住者を呼び出すための玄関子機と、前記玄関子機からの呼び出しを受けて居住者が応答するための居室親機とを有し、前記居室親機から玄関ドアの電気錠を操作できるインターホンシステムであって、
前記玄関子機或いは居室親機は、クラウド上に配置されたサーバと通信する機能を有し、
前記サーバは、居住者が携行する第１の携帯電話の電話番号に訪問予定者が携行する第２の携帯電話の電話番号を関連付けた携帯番号テーブル記憶部を有する一方、
前記玄関子機及び前記第２の携帯電話の双方が近距離無線通信機能を備えており、前記第２の携帯電話が前記玄関子機に翳されると、前記第２の携帯電話の電話番号が前記玄関子機に読み取られて前記サーバに通知され、
前記サーバは、前記第２の携帯電話の電話番号を受信したら、前記携帯番号テーブル記憶部を参照して前記第２の携帯電話に関連付けられている前記第１の携帯電話の呼び出しを実施し、前記呼び出しを受けた前記第１の携帯電話が応答操作されると、前記サーバを経由する前記第１の携帯電話と前記玄関子機との間の通信路を形成して、訪問者と呼び出しに応答した居住者との間で前記通信路を使用した通話が可能となり、
前記通信路が形成されている状態で、前記第１の携帯電話において所定の解錠操作が成されると、前記サーバを介して前記居室親機に解錠信号が送信され、前記電気錠が解錠されることを特徴とするインターホンシステム。
【請求項２】
前記居室親機には室内を撮像するために住戸内に設置された室内カメラが接続されており、
前記解錠信号の送信を認識した前記サーバは、前記玄関子機との間の通信路を終了させて、新たに前記居室親機を介した前記室内カメラと通信路を形成して前記室内カメラの撮像映像を入手し、前記第１の携帯電話に前記撮像映像を送信することを特徴とする請求項１記載のインターホンシステム。
【請求項３】
前記室内カメラは、通話を可能とするマイク及びスピーカを備えた通話部を具備し、
前記サーバは、前記室内カメラとの間に形成した通信路を使用して前記第１の携帯電話と前記室内カメラとの間で通話路を形成し、訪問者と呼び出しに応答した居住者との間で引き続き通話を実施できることを特徴とする請求項２記載のインターホンシステム。
【請求項４】
前記玄関子機との間の通信路を終了させた前記サーバは、前記第２の携帯電話を呼び出して前記第１の携帯電話との間の前記サーバを経由する通信路の形成制御を実施し、
前記第１の携帯電話は、前記室内カメラの撮像映像が表示された状態で、応答した前記第２の携帯電話との間で形成された通信路を使用して通話を実施できることを特徴とする請求項２記載のインターホンシステム。
【発明の詳細な説明】
【技術分野】
【０００１】
本発明は、訪問者が居住者を呼び出して通話するためのインターホンシステムに関する。
【背景技術】
【０００２】
従来のインターホンシステムでは、訪問者が玄関子機を操作しても居住者が居室親機を操作しなければ玄関ドアの電気錠は解錠されなかったが、訪問者が訪問介護する人物である場合には、居住者による応答操作が無くても玄関ドアが解錠されて入室できるインターホンシステムがある。
例えば特許文献１では、呼び出しに対して一定時間応答が無ければ特別動作モードに移行して来訪者の認証処理を実施した後、室内のハンディ親機と通話路が形成された。更に、その後も応答が無ければ玄関の電気錠が解錠された。
このようなインターホンシステムの場合、居住者に異常が発生している場合速やかな対応が可能であったし、訪問者を予め登録しておくことでセキュリティ上の不安も解消でき、一人暮らしの居住者には頼りになるシステムであった。
【先行技術文献】
【特許文献】
【０００３】
【特許文献１】特開２０１６−３２２１２号公報
【発明の概要】
【発明が解決しようとする課題】
【０００４】
しかしながら、上記特許文献１の技術は、訪問者を認証する機能が必要であったし、応答が無く玄関の電気錠が解錠されるまでに一定の時間を要し、同居している家族がいる場合のようにスムーズに職員を受け入れることはできなかった。
また、介護等のために自動解錠して住戸内に入っていただくことは、被介護者が単身世帯の場合は有効な制御であるが、被介護者と同居する家族が居る場合、同居する家族の了解を得ることが好ましい。
【０００５】
そこで、本発明はこのような問題点に鑑み、被介護者を残して家族が出かけた場合であっても、介護等の目的のための特定の訪問者に関しては居住者の確認を得てから住戸内に入っていただくことが可能なインターホンシステムを提供することを目的としている。
【課題を解決するための手段】
【０００６】
上記課題を解決する為に、請求項１の発明は、訪問者が居住者を呼び出すための玄関子機と、玄関子機からの呼び出しを受けて居住者が応答するための居室親機とを有し、居室親機から玄関ドアの電気錠を操作できるインターホンシステムであって、玄関子機或いは居室親機は、クラウド上に配置されたサーバと通信する機能を有し、サーバは、居住者が携行する第１の携帯電話の電話番号に訪問予定者が携行する第２の携帯電話の電話番号を関連付けた携帯番号テーブル記憶部を有する一方、玄関子機及び第２の携帯電話の双方が近距離無線通信機能を備えており、第２の携帯電話が玄関子機に翳されると、第２の携帯電話の電話番号が玄関子機に読み取られてサーバに通知され、サーバは、第２の携帯電話の電話番号を受信したら、携帯番号テーブル記憶部を参照して第２の携帯電話に関連付けられている第１の携帯電話の呼び出しを実施し、呼び出しを受けた第１の携帯電話が応答操作されると、サーバを経由する第１の携帯電話と玄関子機との間の通信路を形成して、訪問者と呼び出しに応答した居住者との間で通信路を使用した通話が可能となり、通信路が形成されている状態で、第１の携帯電話において所定の解錠操作が成されると、サーバを介して居室親機に解錠信号が送信され、電気錠が解錠されることを特徴とする。
この構成によれば、訪問者は携帯電話を翳す簡易な操作で玄関子機から居住者の携帯電話を呼び出しでき、この呼び出しに応答した居住者が携帯電話を操作することで玄関ドアが解錠される。よって、訪問者を招き入れる居住者が在室状態に無くても、介護目的等の特定の訪問者は家族の了解を得て室内に入って被介護者を見ることができ、介護し易い。
一方、呼び出しを受けて応答する居住者は、通話して訪問者を確認したのち解錠することで安心できセキュリティ上も好ましい。
【０００７】
請求項２の発明は、請求項１に記載の構成において、居室親器には室内を撮像するために住戸内に設置された室内カメラが接続されており、解錠信号の送信を認識したサーバは、玄関子機との間の通信路を終了させて、新たに居室親機を介した室内カメラと通信路を形成して室内カメラの撮像映像を入手し、第１の携帯電話に撮像映像を送信することを特徴とする。
この構成によれば、呼び出しに応答した居住者は、特定の訪問者を室内に招き入れた後、室内の状況を室内カメラの撮像映像で確認でき、状況を把握でき安心できる。
【０００８】
請求項３の発明は、請求項２に記載の構成において、室内カメラは、通話を可能とするマイク及びスピーカを備えた通話部を具備し、サーバは、室内カメラとの間に形成した通信路を使用して第１の携帯電話と室内カメラとの間で通話路を形成し、訪問者と呼び出しに応答した居住者との間で引き続き通話を実施できることを特徴とする。
この構成によれば、外出中で呼び出しに応答した居住者は、特定の訪問者を室内に招き入れた後、室内の状況を室内カメラの撮像映像で確認できるし、室内カメラを介して訪問者通話を継続でき、安心できる。
【０００９】
請求項４の発明は、請求項２に記載の構成において、玄関子機との間の通信路を終了させたサーバは、第２の携帯電話を呼び出して第１の携帯電話との間のサーバを経由する通信路の形成制御を実施し、第１の携帯電話は、室内カメラの撮像映像が表示された状態で、応答した第２の携帯電話との間で形成された通信路を使用して通話を実施できることを特徴とする。
この構成によれば、呼び出しに応答した居住者は、室内に招き入れた特定の訪問者と引き続き通話できるため、安心できる。
【発明の効果】
【００１０】
本発明によれば、訪問者は携帯電話を翳す簡易な操作で玄関子機から居住者の携帯電話を呼び出しでき、この呼び出しに応答した居住者が携帯電話を操作することで玄関ドアが解錠される。よって、訪問者を招き入れる居住者が在室状態に無くても、介護目的等の特定の訪問者は家族の了解を得て室内に入って被介護者を見ることができ、介護し易い。
一方、呼び出しを受けて応答する居住者は、通話して訪問者を確認したのち解錠することで安心できセキュリティ上も好ましい。
【図面の簡単な説明】
【００１１】
【図１】本発明に係るインターホンシステムの一例を示す構成図である。
【図２】玄関子機の機能ブロック図である。
【図３】居室親機の機能ブロック図である。
【図４】室内カメラの機能ブロック図である。
【図５】サーバの機能ブロック図である。
【発明を実施するための形態】
【００１２】
以下、本発明を具体化した実施の形態を、図面を参照して詳細に説明する。図１は本発明に係るインターホンシステムの一例を示す構成図であり、１は訪問者が居住者を呼び出すために玄関に設置された玄関子機、２は居住者が訪問者の呼び出しに応答するために居室に設置された居室親機、３はクラウドＣ上に配置されて後述する携帯電話の通信を管理するサーバ、４は玄関ドアＤ１に設けられた電気錠、５は住戸内に設置された室内カメラ、Ｍ１は居住者が携行する携帯電話（第１の携帯電話）、Ｍ２は訪問者が携行する携帯電話（第２の携帯電話）である。
尚、クラウドＣは、携帯電話通信網及びインターネット網を含む通信ネットワークであり、Ｈは訪問者を示している。また、玄関子機１と居室親機２との組み合わせを便宜上「インターホン機器」として説明する。
【００１３】
玄関子機１と居室親機２とは伝送線Ｌ１で接続され、電気錠４は制御線Ｌ２を介して居室親機２に接続され、室内カメラ５は伝送線Ｌ３を介して居室親機２に接続されている。また、居室親機２はサーバ３と通信を実施するよう構成されている。
【００１４】
図２は玄関子機１の機能ブロック図を示している。玄関子機１は図２に示すように、訪問者Ｈを撮像するためのカメラ１１、マイク１２ａ及びスピーカ１２ｂを備えた通話部１２、呼出ボタン１３、近距離通信部１４、玄関子機１を制御する子機ＣＰＵ１５、居室親機２と通信する子機通信ＩＦ１６等を備えている。近距離通信部１４は、例えばBluetooth（登録商標）、ＮＦＣ（登録商標）等である。
【００１５】
図３は居室親機２の機能ブロック図を示している。居室親機２は図３に示すように、玄関子機１のカメラ１１の撮像映像の表示に加えて室内カメラ５の撮像映像の表示、更に各種情報を表示する表示部２１、各種設定操作を行う操作部２２、呼び出しを受けて応答するための通話ボタン２３、電気錠４を解錠操作する解錠ボタン２４、マイク２５ａ及びスピーカ２５ｂを備えた通話部２５、居室親機２を制御する親機ＣＰＵ２６、サーバ３と通信するためにクラウドＣに接続される外部通信ＩＦ２７、玄関子機１と通信する第１通信ＩＦ２８、電気錠４を制御する電気錠制御部２９、室内カメラ５と通信する第２通信ＩＦ３０等を備えている。
操作部２２には不在設定部があり、不在設定されるとインターホン機器が不在モードに移行する。不在モードに移行すると、玄関子機１の近距離通信部１４がオン状態となり、この近距離通信機能を利用して玄関子機１から居住者が携行する第1の携帯電話Ｍ１の呼び出しが可能となる。
【００１６】
図４は室内カメラ５の機能ブロック図を示している。室内カメラ５は図４に示すように、撮像素子を有するカメラ５１、マイク５２ａ及びスピーカ５２ｂを備えた通話部５２、室内カメラを制御するカメラＣＰＵ５３、居室親機２と通信するカメラ通信ＩＦ５４等を備えている。尚、室内カメラ５は、被介護者が居る部屋に設置され、部屋全体を撮像するよう配置される。
【００１７】
図５はサーバ３の機能ブロック図を示している。サーバ３は図５に示すように、携帯電話同士を関連付けした情報を記憶する携帯番号テーブル記憶部３１、インターホン機器と携帯電話の間の通信を制御するサーバＣＰＵ３２、クラウドＣを介して居室親機２等と通信するサーバ通信ＩＦ３３等を備えている。
携帯番号テーブル記憶部３１には、居住者が携行する第１の携帯電話Ｍ１の電話番号に訪問者Ｈが携行する第２の携帯電話Ｍ２の電話番号を関連付けた情報が居室親機２のＩＤ情報と共に登録されており、第２の携帯電話Ｍ２の番号情報を居室親機２から受信したら、関連付けられている第１の携帯電話Ｍ１の呼出制御を実施する。そして、応答操作を受けたら、サーバ３を介した居室親機２と第１の携帯電話Ｍ１の間で音声や映像の送受を可能とするための通信路の形成制御を実施する。
【００１８】
尚、サーバ３への登録は電話番号で実施されるが、サーバ３による通信路形成制御は、サーバ３が電話番号管理サーバ（図示せず）に問い合わせて入手したＩＰアドレスにより実施される。また、携帯番号テーブル記憶部３１には、予め第１の携帯電話Ｍ１の電話番号に居室親機２のＩＤが紐づけされて登録されており、第２の携帯電話Ｍ２の電話番号の登録は、居住者が第１の携帯電話Ｍ１等を操作して行われる。また、サーバ３の携帯番号テーブル記憶部３１には、複数の住戸の情報が一括管理されている。
【００１９】
第１の携帯電話Ｍ１及び第２の携帯電話Ｍ２は、例えばスマートフォンが使用される。この場合、第１の携帯電話Ｍ１には、サーバ３と通信するための所定のアプリケーションソフトウェアがインストールされることで、サーバ３を介した居室親機２との通信が可能となり、インターホン機器を不在モードに設定する不在設定ボタン、玄関ドアＤ１の電気錠４を解錠する解錠ボタン等を備えた構成となる。
また、第２の携帯電話Ｍ２は、玄関子機１の近距離通信部１４と通信を実施する近距離通信機能を備えているものとする。
【００２０】
このように構成されたインターホンシステムは以下のように動作する。ただし、玄関子機１からの呼び出しを受けて居室親機２で応答する動作は従来と同様であるため説明を省略し、居住者が携行する第１の携帯電話Ｍ１で応答する動作を説明する。
インターホン機器が不在モードに設定されて、玄関子機１の近距離通信部１４がオン状態ある場合、訪問者Ｈが携行する第２の携帯電話Ｍ２の短距離通信部（図示せず）を能動状態にしてこの玄関子機１に翳すと、例えばBluetooth（登録商標）により玄関子機１に送信される。  こうして読み取られた第２の携帯電話Ｍ２の電話番号情報は、子機ＣＰＵ１５の制御により居室親機２に送信される。
電話番号情報が送信された居室親機２では、親機ＣＰＵ２６の制御によりクラウドＣ上のサーバ３へ電話番号情報が通知（送信）され、サーバ３から応答を待つ。尚、サーバ３へ送信される電話番号情報には、居室親機ＩＤの情報が合わせて送信される。
【００２１】
第２の携帯電話Ｍ２の電話番号情報を受信したサーバ３では、サーバＣＰＵ３２が携帯番号テーブル記憶部３１を参照して、受信した第２の携帯電話Ｍ２に関連付けられている第１の携帯電話Ｍ１を探し、該当する電話番号があれば、その第１の携帯電話Ｍ１の呼び出しを実施する。
こうして呼び出された第１の携帯電話Ｍ１を携行している人物（訪問先の居住者）が応答操作すると、応答信号がサーバ３へ送信され、応答信号を受けたサーバＣＰＵ３２は居室親機２に対して許可信号を送信し、第１の携帯電話Ｍ１と居室親機２との間の通信路を確保する。
【００２２】
一方、サーバ３から許可信号を受信した居室親機２では、親機ＣＰＵ２６の制御により玄関子機１へ通信路を延長する。結果、玄関子機１と第１の携帯電話Ｍ１との間の通信路が形成される。また許可信号を受信した親機ＣＰＵ２６は、更に玄関子機１のカメラ１１を起動してその撮像映像を、形成した通信路により第１の携帯電話Ｍ１へ送信する。
この結果、玄関子機１と第１の携帯電話Ｍ１との間で音声の送受及び映像の送受（ここでは玄関子機１から第１の携帯電話Ｍ１への映像の送信）が可能となり、訪問者Ｈの映像が第１の携帯電話Ｍ１に表示され、居住者は訪問者Ｈの映像を見ながら通話が可能となる。
【００２３】
尚、サーバ３の携帯番号テーブル記憶部３１に、送信された第２の携帯電話Ｍ２の電話番号に関連付けられている第１の携帯電話Ｍ１が無ければ、その時点でサーバ３は制御を終了する。即ち、玄関子機１に第２の携帯電話Ｍ２が翳されたところで制御は終了となる。また、関連付けられている第１の携帯電話Ｍ１が登録されていても、第２の携帯電話Ｍ２の電話番号情報と共に送信された居室親機ＩＤの情報が登録されている情報と異なっていれば、異なる住戸の居住者であるため、その時点で制御は終了される。
【００２４】
こうして通話が成された結果、居住者が訪問者が訪問看護等の特定の人物であることを確認して、玄関ドアＤ１の電気錠４を解錠すべき人物であると判断したら、第１の携帯電話Ｍ１の操作で解錠操作が成される。所定の操作で第１の携帯電話Ｍ１に解錠ボタン（図示せず）が表示され、ボタン操作して解錠操作が成されると、解錠信号が生成されてサーバ３を経由して居室親機２に送信される。
この解錠信号を受けた居室親機２では、親機ＣＰＵ２６が玄関ドアＤ１の電気錠４の解錠操作を実施し、玄関ドアＤ１が解錠される。
【００２５】
このように、訪問者Ｈは第２の携帯電話Ｍ２を翳す簡易な操作で玄関子機１から居住者の第１の携帯電話Ｍ１を呼び出しでき、この呼び出しに応答した居住者が第１の携帯電話Ｍ１を操作することで玄関ドアが解錠される。よって、訪問者を招き入れる居住者が在室状態に無くても、介護目的等の特定の訪問者Ｈは家族の了解を得て室内に入って被介護者を見ることができ、介護し易い。
一方、呼び出しを受けて応答する居住者は、通話して訪問者を確認したのち解錠することで安心できセキュリティ上も好ましい。
【００２６】
ただし、第２の携帯電話Ｍ２を玄関子機１に翳す上記呼出操作は、予め訪問者Ｈが訪問先住戸のインターホン機器が不在モード状態にあることを認識していることを前提としており、不在モードに設定されていることを認識していない場合は以下のようである。
訪問者Ｈは、まず従来通り呼出ボタン１３を押下するが、この操作を受けて不在モード状態にある親機ＣＰＵ２６は、予め設定されているメッセージ音声を玄関子機１のスピーカ１２ｂから報音させる。例えば、「スマートフォンを翳してください」のメッセージが報音される。
【００２７】
このメッセージを受けて、訪問者Ｈにより自身が携行している携帯電話（第２の携帯電話Ｍ２）が玄関子機１に翳されると、近距離通信部１４が電話番号情報を受信して、子機ＣＰＵ１５の制御により居室親機２へ送信される。その後の動作は上述した流れと同様であり、居住者と通話を行うことができる。
【００２８】
また、第１の携帯電話Ｍ１の操作で玄関ドアＤ１が解錠された後、サーバ３は引き続き次のような制御を実施する。
第１の携帯電話Ｍ１と玄関子機１との間に形成した通信路を終了すると同時に、室内カメラ５と第１の携帯電話Ｍ１との間の通信路を形成する。
【００２９】
具体的に、解錠信号が居室親機２に対して送信されたことを認識したサーバ３は、玄関子機１との間で形成されていた通信路を室内カメラ５に切り替える切替信号を居室親機２に対して送信する。
切替信号を受けた居室親機２では、親機ＣＰＵ２６が通信路の切り替えを実施すると共に室内カメラ５を起動する。この結果、サーバ３と室内カメラ５との間の通信路が形成され、カメラ５１の撮像映像がサーバ３に送信される。
またサーバ３は、第１の携帯電話Ｍ１と居室親機２との間に形成している通信路を維持し、受信した映像を第１の携帯電話Ｍ１に送信し、第１の携帯電話Ｍ１と室内カメラ５との間の通話路を確保する。
この結果、居住者は室内カメラ５の撮像映像を見ながら、室内に居る訪問者と引き続き通話することができる。また、カメラ５１の撮像映像により被介護者の状況も把握できる。
【００３０】
このように、呼び出しに応答した外出中の居住者は、特定の訪問者Ｈを室内に招き入れた後、室内の状況を室内カメラ５の撮像映像で確認できるし、室内カメラ５を介して訪問者通話を継続でき、安心できる。
【００３１】
尚、上記実施形態では、室内カメラ５に通話機能を設けて、室内に入った訪問者と室内カメラ５を介して引き続き通話を可能としているが、室内カメラ５は撮像機能のみで通話機能が無くても良く、室内カメラ５の撮像映像を第１の携帯電話Ｍ１に表示させるだけでも外出中の居住者は状況を把握でき好ましい。
【００３２】
また、室内カメラ５に通話機能が無い場合は、第１の携帯電話Ｍ１と室内カメラ５との通信を実施してカメラ５１の撮像映像を入手しつつ、サーバ３により訪問者が携行する第２の携帯電話Ｍ２と第１の携帯電話Ｍ１との間の通信も実施させて、引き続き訪問者との通話を継続させても良く、玄関を解錠した居住者は室内に招き入れた特定の訪問者Ｈと引き続き通話できるため、安心できる。
更に、上記実施形態では、サーバ３と通信する外部通信ＩＦを居室親機２に設けて居室親機２とサーバ３とが通信を行っているが、この機能を玄関子機１に設けて、玄関子機１とサーバ３とを通信させても良い。
【符号の説明】
【００３３】
１・・玄関子機、２・・居室親機、３・・サーバ、４・・電気錠、５・・室内カメラ、１１・・カメラ、１２・・通話部、１４・・近距離通信部、２６・・親機ＣＰＵ、３１・・携帯番号テーブル記憶部、５１・・カメラ、５２・・通話部、Ｍ１・・携帯電話（第１の携帯電話）、Ｍ２・・携帯電話（第２の携帯電話）、Ｃ・・クラウド。
【図１】
2019121960.tif 000003
【図２】
2019121960.tif 000004
【図３】
2019121960.tif 000005
【図４】
2019121960.tif 000006
【図５】
2019121960.tif 000007